(57)【要約】【課題】除湿だけでなく、防虫効果も備えた除湿具において、高い防虫効果を効率的、且つ長期間安定的に発揮できるものを開発すること。【解決手段】少なくとも一部が透湿性非透水性シートにより形成された外袋内に、少なくとも一部が透湿性非透水性シートにより形成され、内部に吸湿剤が封入された吸湿剤袋体と共に、揮発性防虫剤、好適には２０℃において蒸気圧が１×１０−４ｍｍＨｇ以上の防虫剤が担持された防虫剤担持シートを収容したことを特徴とする除湿具。【選択図】　図１
2004097858.tif 000002
【特許請求の範囲】
【請求項１】
少なくとも一部が透湿性非透水性シートにより形成された外袋内に、少なくとも一部が透湿性非透水性シートにより形成され、内部に吸湿剤が封入された吸湿剤袋体と共に、揮発性防虫剤が担持された防虫剤担持シートを収容したことを特徴とする除湿具。
【請求項２】
揮発性防虫剤が、２０℃において蒸気圧が１×１０−４ｍｍＨｇ以上の防虫剤からなる請求項１記載の除湿具。
【請求項３】
外袋内において防虫剤担持シートを、該外袋の透湿性非透水性シート部分と重なるように配置してなる請求項１または請求項２に記載の除湿具。
【請求項４】
外袋の上端に、懸吊フックが取り付けられてなる請求項１〜３のいずれかに記載の除湿具。
【発明の詳細な説明】
【０００１】
【発明の属する技術分野】
本発明は、除湿具、詳しくは防虫効果を兼備した、洋服タンス内等で吊り下げて使用するのに好適な除湿具に関する。
【０００２】
【従来の技術】
従来、洋服タンスやロッカー内において、湿気が高いと収納される衣類も湿った感じになり、着衣した際に不快に感じられ、また、カビ発生の原因にもなるため、この中に除湿具を設置することが行われている。こうした除湿具としては、除湿性能が高く、安価でもあることから、塩化カルシウム等の潮解性化合物を吸湿剤として利用した除湿具が汎用されており、衣類により密着して配置できることから、少なくとも一部が透湿性非透水性シートにより形成された扁平な袋に、該吸湿剤を必要により保水剤等と共に収容し、ハンガー懸吊用の横支柱に吊り下げて使用されている。
【０００３】
ところで、このような除湿具の使用により洋服タンスやロッカー内の湿度が低く保たれると、衣類害虫も発生し難い環境になるため、該除湿具と共に、さらに、防虫剤を併用すると、極めて高い防虫効果が発揮される。したがって、上記除湿具には、防虫機能も付与するのが効果的であり、１）前記少なくとも一部が透湿性非透水性シートにより形成された袋内に、吸湿剤と共に揮発性防虫剤を混合して収容したり、或いは２）揮発性防虫剤を担持させた防虫剤担持シートを上記袋の外面に貼着したものなどが使用されている。
【０００４】
【発明が解決しようとする課題】
ところが、１）のタイプの除湿具は、吸湿剤の吸湿作用と競合して防虫剤の揮散が行われるため、その効果が阻害され、特に吸湿剤の潮解化が進み袋内の湿潤性が高まってくると、防虫効果が急激に低下する問題があった。
また、２）のタイプの除湿具も、防虫剤担持シートは、外袋に貼着されることから、内側面の多くは貼着面として使用しなければならず、防虫剤の揮散面としてはシートの外側面しか実質的に利用することができず、シートサイズが大判化し効率的でなかった。しかも、シートの外側面が外気に直接晒されているため、外気の湿度の変化に該面の防虫剤の揮散作用が大きく影響を受け、外気湿度が高い時には防虫剤の揮散作用が低下し、防虫効果を安定的に発揮させることが難しい問題があった。
【０００５】
したがって、除湿だけでなく、防虫効果も備えた除湿具において、高い防虫効果を効率的、且つ長期間安定的に発揮できるものを開発することが望まれていた。
【０００６】
【課題を解決するための手段】
本発明によると、上記課題は、次のようにして解決される。
（１）少なくとも一部が透湿性非透水性シートにより形成された外袋内に、少なくとも一部が透湿性非透水性シートにより形成され、内部に吸湿剤が封入された吸湿剤袋体と共に、揮発性防虫剤が担持された防虫剤担持シートを収容する。
（２）揮発性防虫剤として、２０℃において蒸気圧が１×１０−４ｍｍＨｇ以上の防虫剤を用いる。
（３）外袋内において防虫剤担持シートを、該外袋の透湿性非透水性シート部分と重なるように配置する。
（４）外袋の上端に、懸吊フックを取り付ける。
【０００７】
【発明の実施の形態】
以下、添付図面に準じて本発明の実施の形態を説明する。図１は、本発明の除湿具の代表的態様を示す正面図であり、図２は、そのＡ−Ａ線における拡大断面図である。
【０００８】
本発明の除湿具（１）は、吸湿剤袋体（２）が、少なくとも一部が透湿性非透水性シート（３）により形成された外袋（４）に収容された形態をしている。ここで、吸湿剤袋体（２）は、少なくとも一部が透湿性非透水性シート（３′）により形成された小型袋に吸湿剤（５）が封入されたものである。
【０００９】
上記吸湿剤（５）としては、シリカゲル等の吸着剤も使用可能であるが、通常は、塩化カルシウム、塩化マグネシウム等の潮解性化合物が好適に使用できる。これらの潮解性化合物は、液化した際に袋の破裂等により漏洩することを防止するために、珪酸カルシウム、ゼオライト、シリカ、アルミナ、珪酸カルシウム、パーライト、バーミキュライト等の無機多孔質粒子や吸水性樹脂からなる保水剤と混合して使用するのが好ましい。該潮解性化合物と保水剤の混合物は、粒状物等に成形して使用しても良い。
【００１０】
吸湿剤袋体（２）に封入される吸湿剤の量は、その種類や求められる除湿効果の持続性により異なり一概には決定できないが、通常は、十分な除湿効果が１〜１２ヶ月持続される量であるのが好ましい。吸湿剤が塩化カルシウム（２水塩）の場合であれば、１０〜４００ｇ封入するのが一般的である。
【００１１】
これらの吸湿剤（５）が封入される小型袋は、透湿性非透水性シート（３′）について、十分な除湿効果および防虫効果を発揮させるためには、透湿度（ＪＩＳ　Ｚ　０２０８法による測定）を３０００〜６０００ｇ／ｍ２・２４時間（４０℃、９０％ＲＨ）、特に３５００〜５５００ｇ／ｍ２・２４時間であるのが好ましい。また、耐水圧（ＪＩＳ　Ｌ　１０９２法による測定）が１０〜２００ＫＰａ、特に５０〜１００ＫＰａであるのが好ましい。こうした透湿性非透水性シートとしては、ポリプロピレン等のポリオレフィン製の微多孔シートを使用するのが一般的である。
【００１２】
吸湿剤（５）を封入する小型袋において、上記透湿性非透水性シート（３′）以外の部分は、ポリオレフィン、レーヨン、ポリエステル、ポリスチレン等の樹脂フィルム、好適には内部の状態が確認できるように透明性の高い樹脂フィルムで形成するのが好ましい。小型袋の全外面積に対する、透湿性非透水性シート（３′）の占有面積は１０％以上、好適には１５〜５０％であるのが好ましい。
【００１３】
この吸湿剤袋体（２）を収容する外袋（４）は、上記吸湿剤袋体（２）よりも大きな袋であり、好適には該吸湿剤袋体（２）の内容積の１．１〜１．３倍の容積を有しているのが好ましい。この外袋（４）において、透湿性非透水性シート（３）部分やその他のフィルム部分の要件も、前記吸湿剤袋体（２）の場合と同様にするのが好ましい。吸湿剤袋体（２）及び後述する防虫剤担持シート（６）を収容した後、該外袋（４）の開口部は、封じるのが好ましい。
【００１４】
本発明の特徴は、上記構造の除湿具（１）において、外袋（４）内に、前記吸湿剤袋体（２）と共に、揮発性防虫剤が担持された防虫剤担持シート（６）を存在させた点にある。こうすることにより、まず、該防虫剤担持シート（６）は、貼着の必要がないため、その両面を担持される薬剤の揮散面として利用することができ、該シートの大判化を防止できる。
そして、次のように防虫効果も、長期間にわたって安定的に発揮させることが可能になる。すなわち、該除湿具において、外袋（４）内における前記吸湿剤袋体（２）との間隙は、該外袋の透湿性非透水性シート（３）を通過して湿度の高い外気が流入してきても、これらはすぐに透湿性非透水性シート（３′）を通過して吸湿剤袋体（２）内に流入し吸湿剤（５）の作用により除湿されるため、上記間隙には、低湿度の空気が安定的に充満している。したがって、このような外袋（４）内に防虫剤担持シート（６）を存在させると、該シートからの防虫剤の揮散作用は極めて活発になり、この防虫剤の揮散ガスが外袋（４）の透湿性非透水性シート（３）を通過して外気に次々と放出されていくため、その防虫効果は、極めて高いものになり、しかも、その効果は外気の湿度にはほとんど影響を受けることなく安定的に持続される。
【００１５】
本発明において、揮発性防虫剤としては、２０℃において蒸気圧が１×１０−４ｍｍＨｇ以上、好適には１×１０−４〜１×１０−５ｍｍＨｇのものが使用される。こうした揮発性防虫剤としては、具体的には、エンペンスリン、アレスリン、ピレトリン、フェノトリン、テラレトリン、プラレトリン等のピレスロイド類；ナツメグ油、ゼラニウム油、チョウジ油、シダ−ウッド油、セージ油、タイム油、スターアニス油、ラベンダー油、バジル油、ヒノキ油、樟脳油、レモングラス油、カッシャ油、ピメント油、ハッカ油等の精油類；樟脳、パラジクロロベンゼン、ナフタレン等のその他の殺虫性化合物が挙げられる。また、揮発性防虫剤としては、Ｎ，Ｎ−ジエチル−ｍ−トルアミド、カラン−３，４−ジオール、１−メチルプロピル（２−ヒドロキシエチル）−１−ピペリジンカルボキシラート等の害虫忌避性化合物も使用可能である。
【００１６】
これらの揮発性防虫剤を坦持させるシートは、ポリエチレン、ポリ塩化ビニル等の樹脂フィルム、紙、不織布、織布等が挙げられる。シートの大きさは、特に制限されるものではないが、揮発性防虫剤の担持可能量や取り扱い易さを勘案すれば、片面の面積が２５〜５００ｃｍ２であるのが好ましい。
【００１７】
これらのシートに担持させる揮発性防虫剤の量は、該揮発性防虫剤の種類等により異なるが、通常は、除湿効果が持続している間は、十分な防虫効果が発揮される量担持させるのが好ましい。前記した除湿効果の好適な持続期間を勘案すれば、０．１〜１０ｇ担持させるのが一般的である。なお、担持の方法は、含漬やコーティング等の手法が制限なく採用できる。ナフタレン等の常温で固体の化合物は、粉末状にしてコーティングすることにより実施すれば良い。
【００１８】
除湿具（１）において、防虫剤担持シート（６）は、透湿性非透水性シート（３）部分と重なるように外袋（４）内に配置させるのが、揮散した防虫剤ガスを円滑に外気に放出させ、防虫効果をより活発に発揮させる上で好ましい。さらには、同様に、防虫剤担持シート（６）は、吸湿剤袋体（２）の透湿性非透水性シート（３′）部分とも重なるように位置させ、対面する両透湿性非透水性シート（３）（３′）部分の間に挟持されるように構成するのが好ましい。
【００１９】
本発明の除湿具（１）は、除湿が所望される如何なる空間の除湿に供しても良いが、優れた防虫効果も備える性状から、衣類の収納空間の除湿に供するのが効果的である。その場合、タンスの引出しや衣装ケースの空隙に載置して使用しても良いが、外袋（４）の上端に、懸吊フック（７）を取り付けて、洋服タンスやロッカー等のハンガー懸吊用の横支柱に吊り下げて使用するのが最も効果的である。
【００２０】
【実施例】
以下、本発明の除湿具を、実施例および比較例により説明するが、本発明は、これらの実施例により何ら限定されるものではない。
実施例１
図１および図２に示した除湿具を製造した。この除湿具において、吸湿剤袋体（２）を形成する小型袋としては、１３３ｍｍ×２００ｍｍの大きさであり、全外面積に対して１９％の占有面積で、片面に透湿性非透水性シート（３′）部分が形成されたものを使用した。この吸湿剤袋体（２）の内部には、塩化カルシウム（２水塩）８０ｇと、保水剤としてパーライトとデンプンの混合物５６ｇを封入した。一方、外袋（４）は、１４０ｍｍ×２４０ｍｍの大きさであり、全外面積に対して１８％の占有面積で、片面に透湿性非透水性シート（３）部分が形成されたものを使用した。
【００２１】
防虫剤担持シート（６）としては、レーヨンとポリエステルの混抄不織布製であり、大きさが７０ｍｍ×１３５ｍｍであるシートに、揮発性防虫剤としてエンペンスリンが０．２ｇ含浸担持されたものを使用した。なお、この防虫剤担持シート（６）は、外袋（４）の透湿性非透水性シート（３）部分および吸湿剤袋体（２）の透湿性非透水性シート（３′）部分の両方に重なって位置するように、外袋（４）内において配置した。
【００２２】
この除湿具（１）を、温度２５℃、湿度８０％ＲＨの恒温・恒室機に入れ、防虫剤の機内への揮散状態を、設置から２ヶ月目と４ヶ月目における防虫剤担持シート（６）の防虫剤の担持量の減少割合を測定することにより観察した。結果は、測定開始から２ヶ月目までと、それから４ヶ月目までのいずれの期間も、一定量の防虫剤が安定的に揮散していた。
比較例１
実施例１において、外袋（４）内に防虫剤担持シート（６）を存在させず、吸湿剤袋体（２）内に揮発性防虫剤として、エンペンスリンを０．２ｇ含有させた以外は、実施例１と同様に実施した。
【００２３】
結果は、測定開始当初は、防虫剤は活発に揮散可能な状態であったが、吸湿剤袋体（２）内において、塩化カルシウムの吸湿が進むと保水剤が固化して、これに防虫剤は埋入し、測定開始から２ヶ月目において、防虫剤は、ほとんど揮散不能な状態になった。
比較例２
実施例１において、外袋（４）内に防虫剤担持シート（６）を存在させず、該防虫剤担持シート（６）の２枚を外袋（４）の透湿性非透水性シート（３）部分以外の個所に、両面テープにより貼着する以外は、実施例１と同様に実施した。
【００２４】
結果は、測定開始から２ヶ月目において、防虫剤の揮散量は、両シート分を併せても実施例１の１／１．５程度でしかなかった。
【００２５】
【発明の効果】
本発明の除湿具は、除湿効果を有するだけでなく、優れた防虫効果も有しており、この防虫効果は、外気の湿度等にほとんど影響受けることなく、長期間にわたって安定的に発揮される。
【００２６】
特に、揮発性防虫剤として、２０℃において蒸気圧が１×１０−４ｍｍＨｇ以上の防虫剤を用いれば、該防虫剤の揮散が活発に遂行でき良好である。
【００２７】
また、外袋内において防虫剤担持シートを、該外袋の透湿性非透水性シート部分と重なるように配置することにより、上記揮散した防虫剤ガスを円滑に外気に放出することが可能になり、特に良好である。
【００２８】
さらに、外袋の上端に、懸吊フックが取り付けることにより、洋服タンス等のハンガー懸吊用の横支柱に吊り下げて使用することが可能になり好適である。
【００２９】
【図面の簡単な説明】
【図１】図１は、本発明の除湿具の代表的態様を示す正面図である。
【図２】図２は、図１の除湿具におけるＡ−Ａ線の拡大断面図である。
【符号の説明】
１；除湿具
２；吸湿剤袋体
３，３′；透湿性非透水性シート
４；外袋
５；吸湿剤
６；防虫剤担持シート
７；懸吊フック
【図１】
2004097858.tif 000003
【図２】
2004097858.tif 000004